(57)【特許請求の範囲】
【請求項１】
ディスクケースを保持する収納部と、
前記収納部の側壁内面の少なくとも一面に設けられ、ディスクケースを該収納部内に挟持させるための第一突部と、
前記収納部の底壁に設けられ前記ディスクケースの取り出しのための貫通孔と、
前記収納部の側壁内面の側縁部に設けられたディスクケースの取り出しのための切欠部と、
前記収納部の内部に着脱自在な緩衝材からなり、上片と左片とから構成される保持片と、
を備え、
前記保持片の上片の上部側壁外面には前記第一突部の形状に適合するように凹部が形成され、該保持片の上片の上部内壁面には第二突部が形成されることを特徴とするディスクケースの収納ホルダー。
【請求項２】
ファイルに綴じ込み可能で、ホルダー部と蓋部からなるブックケース形の収納ホルダーであって、
前記蓋部を重合させて閉じるように上蓋と下蓋とから構成し、
前記ホルダー部を緩衝部材から形成したことを特徴とする、
請求項１に記載のディスクケースの収納ホルダー。
【発明の詳細な説明】
【０００１】
【発明の属する技術分野】
本発明は、ファイルに綴じ込み可能なホルダーであって、より詳しくは、ＣＤ−ＲＯＭ用ディスクケース又はＦＤ・ＭＯ用ディスクケースを収納できるホルダーに関するものである。
【０００２】
【従来の技術】
従来においては、大きな設計図面や必要なデータ等が記載された多数の書類はファイル等に挟んで保管されていたが、昨今では、コンピュータによって電子データ化し、利用者の便宜等を図るペーパレス計画が官庁等で行われており、図面や必要なデータ等は、そのほとんどが、ＣＤーＲＯＭ、ＦＤまたはＭ０に電子データ化され保管されている。このような、ＣＤーＲＯＭ等は埃、傷またはその他の破損要因から保護すべくそれぞれ専用のディスクケース内に収納されている。このようなＣＤーＲＯＭ等の収納されたディスクケースを収容する目的で設計されたものは種々あるが、その中でも、ラック、引き出し、スタンドなどの種々の保管装置が提案されている。
【０００３】
【発明が解決しようとする課題】
しかしながら、このような保管装置は、多くの空間を占有するだけでなく容易に運搬できず、しかも少量のディスクを保管するには収容量が多すぎて無駄があるという問題があった。
【０００４】
また、上述したペーパレス計画によってディスク自体を関係者等に回覧させる機会が多くなり、回覧中にディスクを落としてしまったり、また紛失等をするという問題が多々発生していた。
【０００５】
そこで、本発明は、このような課題を解決することであり、その目的は、ＣＤ−ＲＯＭ用ディスクケース及びＦＤ・ＭＯ用ディスクケースを収納することができるディスクケースの収納ホルダーを提供することである。
【０００６】
【課題を解決するための手段】
以上を解決するために、本各発明の採った手段は、実施形態において使用する符号を付して説明すると、請求項１記載の発明は、ファイルに綴じ込み可能で、ホルダー部１０と蓋部２０からなるブックケース型の収納ホルダー１００を前提とするものであって、蓋部２０を重合させて閉じるように上蓋２０ａと下蓋２０ｂとから構成し、ホルダー部１０を緩衝部材から形成するとともにディスクケースを保持する収納部１１を形成したことをその要旨とした。
【０００７】
次に、請求項２記載のディスクケース収納ホルダー１００は、請求項１記載の収納ホルダー１００を構成する前記収納部１１の側壁内面１２の少なくとも一面に、ディスクケースを収納部１１内に狭持させるための突部１３を設け、前記収納部１１の底壁１４に前記ディスクケースの取り出しのための貫通孔１５を設け、前記収納部１１の側壁内面１２の側縁部にディスクケースの取り出しのための切欠部１６を設けたことをその要旨とした。
【０００８】
最後に、請求項３記載のディスクケース収納ホルダー１００は、請求項１または２記載の収納ホルダー１００を構成する前記収納部１１内に、着脱自在な緩衝材からなる保持片３０を備えたことにより、ＣＤ−ＲＯＭ用ケース又はＦＤ・ＭＯ用ケースの両サイズを収納できるようにしたことをその要旨とした。
【０００９】
【発明の実施の形態】
本各発明に係るディスクケースの収納ホルダーの実施形態を説明するが、これは代表的な例を示したものであり、その要旨を超えない限り、以下の実施例により本発明が限定されるものではない。
【００１０】
以下、本発明の実施例を図１乃至図３に基づいて説明する。
図１に示すように、収納ホルダー１００は、ブック型に形成されものであり、蓋部２０としての上表紙と下表紙を背表紙で連設されたものであり、裏表紙にはホルダー部１０が貼着されている。また、収納ホルダー１００の左端側には、ファイルに綴じ込みができるように綴じ部４０が形成されており、前記綴じ部４０には綴じ穴４１が縦並びに形成されている。これにより、ファイル等に容易に綴じ込むことができる。前記ホルダー部１０は、ウレタン等の緩衝性を有する合成樹脂材料から形成されており、ディスクケースを保持するための収納部１１が２つ切欠形成されている。前記収納部１１は、僅かの力で圧入できるようにディスクケースの大きさよりも僅かに小さく切欠形成されている。
【００１１】
また、前記収納部１１の側壁内面１２の少なくとも一面に、前記ケースを収納部内に狭持させるための突部１３が設けられている。また、収納部１１の底壁１４にあたる背表紙にはケースを取り出すために指を挿入させることができる貫通孔１５が設けられている。さらに、収納部１１の側壁内面１２の側縁部には、ディスクケースを容易に取り出すことができるように指を挿入させる切欠部１６が設けられている。
【００１２】
さらに、本発明にかかるディスクケース収納ホルダー１００を構成する収納部１１には、その内部に着脱自在な緩衝材からなる保持片３０を備えている。保持片３０は、上片と左片とから構成され収納部内に僅かな力で圧入狭持できるように、収納部１１の大きさよりも僅かに大きく形成されている。即ち、収納部１１の上部側壁内面及び左部側壁内面の長さよりも保持片３０の上片及び左片の長さの方が僅かに長く形成されている。また、保持片３０の上片の上部側壁外面には、収納部１１の上部側壁内面に形成された突部１３の形状に適合するように凹部３１が形成されている。そして、保持片の上片の上部内壁面には、ＦＤまたはＭＯを狭持するための突部１３が形成されている。このように、保持片を収納部内に着脱自在にしたにより、ＣＤ−ＲＯＭ用ケース又はＦＤ・ＭＯ用ケースの両サイズが収納される。即ち、保持片３０を外した場合は、ＣＤ−ＲＯＭ用ケースの収納スペースが形成され、保持片３を取り付けた場合には、ＦＤ・ＭＯ用ケースの収納スペースが形成される。
【００１３】
次に、本発明にかかる収納ホルダー１００の特徴である上蓋と下蓋とからなる蓋部２０について、図２及び図３に基づいて説明する。
即ち、この実施例にかかる収納ホルダー１００は、ブックケース型に形成されものであり、蓋部２０を、ホルダー部１０の左端に設けられた上蓋２０ａとホルダー部１０の右端に設けられた下蓋２０ｂから構成し、上蓋２０ａと下蓋２０ｂを重合させて閉じるように構成されたものである。図示するように、上蓋２０ａと下蓋２０ｂのそれぞれにはマジックテープ２１が貼着されている。これにより、ホルダー部１０に収納されているディスクケース等を確実に保護することができる。尚、上下蓋を貼着する手段は、上記実施例に限定されることはなく、いかなる構成でもよい。
【００１４】
以上のように本各発明にかかる収納ホルダー１００の実施形態により以下の作用が奏される。
即ち、本発明にかかる収納ホルダー１００は、ホルダー部１０と蓋部２０とからなるファイルに綴じ込み可能なブック型に形成することにより、収納されたディスクケースの表面が保護されるため、傷や埃の侵入が防止される。また、ホルダー部１０を収納部１１を有する緩衝部材から形成したより、内部に収納されたディスクケースを衝撃等による破損から保護する。さらに収納部１１の大きさをディスクケースの大きさよりも僅かに小さく形成したことにより、運搬中に天地が逆にされたり、あるいは運搬中の振動によってもディスクケースが容易に外れることが防止される。
【００１５】
また、蓋部２０を、ホルダー部１０の左端に設けられた上蓋２０ａとホルダー部１０の右端に設けられた下蓋２０ｂから構成し、上蓋２０ａと下蓋２０ｂを重合させて閉じるように構成したブックケース型に形成したことにより、より一層、ホルダー部内への傷や埃の侵入が防止され、運搬中のディスクケースの落下が防止される。
【００１６】
しかも、本発明にかかる収納ホルダー１００は、収納部１１の側壁内面１２のうちの少なくとも一面に、前記ケースを収納部１１内に狭持させるための突部１３を設けたことにより、運搬中に天地が逆にされたり、あるいは運搬中の振動によってもディスクケースが容易に外れることが防止される。そして、前記収納部１１の底壁１４に前記ケースの取り出しのための貫通孔１５を設け、さらに、収納部１１の側壁内面の側縁部にディスクケースの取り出しのための切欠部１６とを設けたことにより、これらのうちいずれかに指を入れれば容易に取り出しを行える。
【００１７】
さらに、本発明にかかる収納ホルダー１００は、収納部１１内に、着脱自在な緩衝材からなる保持片３０を備えたことにより、ＣＤ−ＲＯＭ用ケース又はＦＤ・ＭＯ用ケースの両サイズが収納される。
【００１８】
次に、本発明にかかる収納ホルダー１００をファイル５０に綴じた状態を、図２又は図３に基づいて説明する。
【００１９】
この図に示すように、ファイル５０は、矩形に加工された厚紙等によって形成され、表紙５０ａと裏表紙５０ｂとよりなる一対の表紙が、背表紙５１で連設されている。尚、表紙の材質は特に限定されず、例えば、アクリル、塩化ビニール合成樹脂の化成品等、或いは皮革等でもよい。
【００２０】
また、ファイル５０を構成する表紙５０ａと裏表紙５０ｂの内側面のそれぞれには、収納ホルダー１００を綴じ込むための綴じ込み片５２ａ、５２ｂが形成されている。そして、収納ホルダー１００の左端側に形成された綴じ部４０は、それぞれの綴じ込み片５２ａ、５２ｂにより挟まれ、一般的に周知である綴じ込み部材５３によって綴じ込まれている。尚、ファイル５０の綴じ込み部材の構成についてはこれに限定されることなく、開閉可能に付勢されたリング状の綴じ込み部材でもよく、収納ホルダー１００を綴じ込み可能であれば、どんな構成のものでもよい。
【００２１】
さらに、図２又は図３に示すように、ファイル５０は、複数の収納ホルダー１００を綴じられるように、表紙５０ａと裏表紙５０ｂとが封筒状に形成されて、それぞれ袋収納部５４ａ、５４ｂが形成されており、この袋収納部５４ａ、５４ｂに背表紙５１が挿入されている。これにより、背表紙５１をそれぞれの袋収納部５４ａ、５４ｂへの挿入幅を調節することによって、背表紙５１の幅を任意に設定することが可能となっている。また、背表紙５１には、縦方向（長手方向）に複数の折り襞５５が形成されているので、収納ホルダー１００の厚みに応じて幅を自由設定することが可能である。
【００２２】
以上のような構成からなる収納ホルダー１００の実施形態によって発揮される効果について、以下説明する。
【００２３】
（１）  上記の実施形態における収納ホルダー１００においては、ホルダー部１０と蓋部２０とからなるファイルに綴じ込み可能なブック型に形成されているため、持ち運びに便利で、且つ、書籍等と同様に本棚等に保管することができる。
【００２４】
（２）  上記の実施形態における収納ホルダー１００においては、蓋部２０を設けたことにより、収納されたディスクケースの表面が保護されるため、傷や埃の侵入を防止することができる。
【００２５】
（３）  上記の実施形態における収納ホルダー１００においては、ホルダー部１０を、緩衝部材から形成したより、内部に収納されたディスクケースを衝撃等による破損等から保護することができるため、社内などの回覧を円滑に行うことができる。
【００２６】
（４）  上記の実施形態における収納ホルダー１００においては、収納部１１の大きさをディスクケースの大きさよりも僅かに小さく形成したことにより、運搬中に天地が逆にされたり、あるいは運搬中の振動によるディスクケースの外れを防止することができる。
【００２７】
（５）  上記の実施形態における収納ホルダー１００においては、収納部１１の側壁内面１２のうちの少なくとも一面に、ディスクケースを収納部１１内に狭持させるための突部１３を設けたことにより、運搬中に天地が逆にされたり、あるいは運搬中の振動によるディスクケースの外れを防止することができる。
【００２８】
（６）  上記の実施形態における収納ホルダー１００においては、収納部１１の底壁１４にディスクケースの取り出しのための貫通孔１５を設け、さらに、収納部１１の側壁内面１２の側縁部にディスクケースの取り出しのための切欠部１６とを設けたことにより、これらのうちいずれかに指を入れれば容易に取り出すことができる。
【００２９】
（７）  上記実施形態における収納ホルダー１００においては、収納部１１内に、着脱自在な緩衝材からなる保持片３０を備えたことにより、ＣＤ−ＲＯＭ用ケース又はＦＤ・ＭＯ用ケースの両サイズを収納することができる。
【００３０】
（８）  上記実施形態における収納ホルダー１００においては、蓋部２０を、ホルダー部１０の左端に設けられた上蓋２０ａとホルダー部１０の右端に設けられた下蓋２０ｂから構成し、上蓋２０ａと下蓋２０ｂを重合させて閉じるように構成したブックケース型に形成したことにより、より一層、ホルダー部内への傷や埃の侵入を防止でき、運搬中のディスクケースの落下を防止することができる。
【００３１】
ところで、本各発明は、上述した実施例に限定されるものではなく、本発明の目的を達成できる範囲内での改良、変形等は本発明に含まれるものである。上述した実施例では、収納ホルダー１００は、ブック型に形成されものであり、蓋部２０としての上表紙と下表紙を背表紙で連設されたものを示したが、これに限定されることはなく、例えば、蓋部２０がホルダー部と一体成形された収納ホルダーとしてもよい。そして、蓋部２０を構成する上蓋２０ａと下蓋２０ｂを透明な合成樹脂等から形成すれば、収納されているディスクケースの視認性を高めることができる。
【００３２】
また、上述した実施例では、ホルダー部１０に形成された収納部１１は、切欠形成されていたが、これに限定されることはなく、収納凹部としてもよい。この場合においては、収納凹部の底壁に貫通孔を形成すればよい。さらに、収納部に形成された突部、貫通孔及び切欠部の位置又は個数は、適宜変更してもよい。
【００３３】
【発明の効果】
以上のように、請求項１記載の発明は、ファイルに綴じ込み可能で、ホルダー部と蓋部からなるブック型のディスクケース収納ホルダーを前提するものであって、特に、前記蓋部を、重合させて閉じるように上蓋と下蓋とから構成し、前記ホルダー部を緩衝部材から形成するとともにディスクケースを保持する収納部を形成したため、傷や埃の侵入を防止することができ、運搬中に天地が逆にされたり、あるいは運搬中の振動によってもディスクケースが容易に外れることを防止することができるため、持ち運びに便利で、且つ、書籍等と同様に本棚等に保管することができる。
【００３４】
また、請求項２記載の発明は、前記収納部の側壁内面の少なくとも一面に設けられ、ディスクケースを収納部内に狭持させるための突部と、前記収納部の底壁に設けられ、前記ディスクケースの取り出しのための貫通孔と、前記収納部の側壁内面の側縁部に設けられ、ディスクケースの取り出しのための切欠部とから構成したことにより、運搬中に天地が逆にされたり、あるいは運搬中の振動によってもディスクケースが容易に外れることを防止することができ、収納部に収納されたディスクケースの取り出しを容易に行うことができる。
【００３５】
最後に、請求項３の発明は、前記収納部内に着脱自在な緩衝材からなる保持片を備えたことにより、ＣＤ−ＲＯＭ用ケース又はＦＤ・ＭＯ用ケースの両サイズを収納することができる。
【図面の簡単な説明】
【図１】本発明にかかる収納ホルダーの実施例を示す斜視図である。
【図２】本発明にかかる収納ホルダーの別の実施例を示す斜視図である。
【図３】図３は、図２のＡーＡ間における断面図である。
【図４】本発明にかかる収納ホルダーの実施例をファイルに綴じた状態を示す斜視図である。
【図５】本発明にかかる収納ホルダーの実施例をファイルに綴じた状態を示す斜視図である。
【符号の説明】
１００  収納ホルダー
１０    ホルダー部
１１    収納部
１２    側壁内面
１３    突部
１４    底壁
１５    貫通孔
１６    切欠部
２０    蓋部
２０ａ  上蓋
２０ｂ  下蓋
３０    保持片
４０    綴じ部
４１    綴じ穴
５０    ファイル
【図１】
0004182312.tif 000002
【図２】
0004182312.tif 000003
【図３】
0004182312.tif 000004
【図４】
0004182312.tif 000005
【図５】
0004182312.tif 000006